(57)【要約】【課題】  防犯レンズのサイズ等のバリエーションに柔軟に対応できるカバー装置を提供することを目的とする。【解決手段】  第１実施形態に係るカバー装置１Ａは、防犯レンズＡの室内側端部１０Aの覗き窓１１Aを覆うカバー１ａと、このカバー１ａを前記室内側端部１０Aに取付けるための取付枠２ａからなるもので、例えば一枚ドア３Ａ用の防犯レンズＡに取付けられる。前記取付枠２ａは、前記室内側端部１０Aの外周に圧着可能な圧着片２０ａと、この圧着片２０ａの圧着力を調整する調整部２１ａからなる。そして前記カバー１ａは、前記調整部２１ａに取付けられた止着具３ａにより回転可能に支持されており、その下部には回転操作用の舌部１０ａが形成されている。【選択図】        図１
2006016950.tif 000002
【特許請求の範囲】
【請求項１】
ドアに形成された取付孔を介して固定される防犯レンズの室内側端部に取付けられるカバー装置であって、
該カバー装置は、前記室内側端部の覗き窓を覆うカバーと、このカバーを前記室内側端部に取付けるための取付枠からなり、
該取付枠は、前記室内側端部の外周又は内周の何れか一方に圧着可能な圧着片と、この圧着片の圧着力を調整する調整部からなり、
前記カバーは、前記調整部に回転可能に取付けられていることを特徴とする防犯レンズ用のカバー装置。
【請求項２】
ドアに形成された取付孔を介して固定される防犯レンズの室内側端部に取付けられるカバー装置であって、
該カバー装置は、前記室内側端部の覗き窓を覆うカバーと、このカバーを前記室内側端部に取付けるための取付枠からなり、
該取付枠は、前記室内側端部の外周又は内周の何れか一方に圧着可能な圧着片と、前記カバーを回転可能に支持する支持部を備えていることを特徴とする防犯レンズ用のカバー装置。
【発明の詳細な説明】
【技術分野】
【０００１】
本発明は、室内側の覗き窓から室外の様子を広範囲にわたって観察することができる防犯レンズに取付けられるカバー装置に関する。
【背景技術】
【０００２】
ドアを施錠したまま、室内から室外の様子を観察できる防犯レンズは、防犯意識の高まりと共に重要性を増しており、防犯レンズのトップメーカである出願人は、社会の要請に応えて防犯レンズの改良を種々行っている。
例えば、不審者が防犯レンズを通じて室外から室内の様子を伺うような行為に対処できるように、防犯レンズ用カバーを開発し、特許出願も行っている（特許文献１参照）。
【特許文献１】特開２００４−１００４５５
【発明の開示】
【発明が解決しようとする課題】
【０００３】
しかし、この防犯レンズ用カバーについて、出願人は次のような課題を認識するに至った。
即ち、特許文献１では、一枚ドア用の防犯レンズに用いられるカバーを提案しているが、このカバーでは防犯レンズの外筒のサイズの長短に対応して、多様なカバーを用意しなければならないことである。
また、一枚ドアの防犯レンズ用カバーのみならず、ダブルドアの防犯レンズ用カバーにも問題となるが、防犯レンズの外筒の径の大小に対応して、多様なカバーを用意しなければならないことである。
【０００４】
そこで、本願発明は、防犯レンズのサイズ等のバリエーションに柔軟に対応できるカバー装置を提供することを目的とする。
【課題を解決するための手段】
【０００５】
この目的を達成するため、本発明に係る防犯レンズ用のカバー装置は、前記室内側端部の覗き窓を覆うカバーと、このカバーを前記室内側端部に取付けるための取付枠からなり、該取付枠は、前記室内側端部の外周又は内周の何れか一方に圧着可能な圧着片と、この圧着片の圧着力を調整する調整部からなり、前記カバーは、前記調整部に回転可能に取付けられていることを特徴とする（請求項１に記載の発明）。
このカバー装置を構成する取付枠は、前記室内側端部の外周又は内周の何れか一方に圧着可能な圧着片と、この圧着片の圧着力を調整する調整部からなるため、防犯レンズの外筒のサイズの長短や径の大小を問題とすることなく、このカバー装置を防犯レンズに装着することができる。
【０００６】
この目的を達成するため、本発明に係る防犯レンズ用のカバー装置は、前記室内側端部の覗き窓を覆うカバーと、このカバーを前記室内側端部に取付けるための取付枠からなり、該取付枠は、前記室内側端部の外周又は内周の何れか一方に圧着可能な圧着片と、前記カバーを回転可能に支持する支持部を備えていることを特徴とする（請求項２に記載の発明）。
このカバー装置を構成する取付枠は、前記室内側端部の外周又は内周の何れか一方に圧着可能な圧着片を備えているため、上記発明と同様に防犯レンズの外筒のサイズの長短を問題とすることがない。又、圧着片の構成によっては径の大小を問題とすることなく、このカバー装置を防犯レンズに装着することができる。
【発明の効果】
【０００７】
本願発明によれば、防犯レンズの外筒のサイズの長短或いは径の大小を問題とすることがないので、防犯レンズのバリエーションに柔軟に対応できるカバー装置を提供することができる。
【発明を実施するための最良の形態】
【０００８】
本発明に係るカバー装置の実施形態を図面に基づいて詳細に説明する。
図１は、第１実施形態に係るカバー装置の分解斜視図及びこのカバー装置を取付ける防犯レンズの分解斜視図、図２はカバー装置を防犯レンズに取付けた状態の取付側面図である。
なお、これらの各図及び以下に説明する各図において、同一の構成は同一の符号又は字句を付して、詳細な説明を省略する。
【０００９】
第１実施形態に係るカバー装置１Ａは、防犯レンズＡの室内側端部１０Aの覗き窓１１Aを覆うカバー１ａと、このカバー１ａを前記室内側端部１０Aに取付けるための取付枠２ａからなるもので、例えば一枚ドア３Ａ用の防犯レンズＡに取付けられる。
前記取付枠２ａは、前記室内側端部１０Aの外周に圧着可能な圧着片２０ａと、この圧着片２０ａの圧着力を調整する調整部２１ａからなる。
そして前記カバー１ａは、前記調整部２１ａにネジ止めされる止着具３ａにより回転可能に支持されており、その下部には回転操作用の舌部１０ａが形成されている。
【００１０】
前記圧着片２０ａと調整部２１ａは、圧着片２０ａがウォームホイールに、調整部２１ａがウォームギアに相当するもので、調整部２１ａを構成するギア２１０ａを回転させることにより、前記室内側端部１０Aに対する圧着力を調整できるようになっている。
【００１１】
前記カバー１ａは、前記止着具３ａにより左右方向に振分けられるようになっているが、前記止着具３ａに代えてヒンジ手段により、ドア３Ａに対して手前方向に開閉できるようにしても良い。
また、前記舌部１０ａの形状は、居住者が把持し易いように下方向に長めに形成してもよい。
【００１２】
前記防犯レンズＡに前記カバー装置１Ａを取付けるには、前記室内側端部１０Ａの径より若干大きめに調整した取付枠２ａを室内側端部１０Ａに跨がせて、調整部２１ａをドライバー等で締付ければよい。
このように取付けられたカバー装置１Ａは、通常、前記カバー１ａの自重により、前記防犯レンズＡの覗き窓１１Ａを覆っているので、室外側から室内の様子を伺うことはできない。
居住者が、防犯レンズＡから室外を覗き見る場合には、カバー１ａの舌部１０ａを左右何れかの方向に振り、覗き見た後は、前記舌部１０ａから手を放せば、カバー１ａがその自重により回転し、再びカバー１ａが前記覗き窓１１Ａを覆う。
【００１３】
以上のようなカバー装置１Ａによれば、防犯レンズＡの外筒２のサイズの長短に対応でき、また外筒２の直径の大小にも対応でき、しかも低コストで製造することができる。
【００１４】
なお、前記防犯レンズＡは、図１乃至図３に示したように、入射窓となる室外側フランジ部１０、外周に設けられた雄ネジ部１１及び内部にレンズ系１２を収容した内筒１と、覗き窓１１Ａとなる室内側フランジ部２０及び内部周面に雌ネジ部２１を備えた外筒２からなり、取付孔３０を介してドア３Ａに固定されている。
また、前記内筒１の室内側にはストッパ片１４（図３参照）が設けられ、このストッパ１４とスリーブ１５間に凸レンズ１２２を取付けている。
【００１５】
上記カバー装置１Ａは、図４及び図５に示したように、所謂フラッシュドアと呼ばれている２枚板３、４の厚みのあるダブルドア用の防犯レンズＡに取付けることもできる。
【００１６】
上記実施形態では、前記カバー装置１Ａの取付枠２ａは、前記室内側端部１０Ａの外周を圧着するようにしていたが、室内側端部１０Ａの内周１００ａを圧着するようにしてもよい。
【００１７】
次に、第２実施形態に係るカバー装置１Ｂの構成例を説明する。
このカバー装置１Ｂは、図６に示したようにカバー１ｂを前記室内側端部１０Ａに取付けるための取付枠２ｂは、前記室内側端部１０Ａの外周を圧着可能な圧着片として、例えば板バネ材から構成されており、その弾性材に支持部としての折曲部２０ｂを形成し、その折曲部２０ｂにカバー１ｂを回転可能に保持するピン３ｂが固定されている。
前記弾性材は外側方向Xにたわみ、内側方向−Xに復元力が作用するもので、前記防犯レンズ１Ａの室内側端部１０Ａの外周を圧着できるようになっている。
前記折曲部２０ｂは、弾性材を略Ｕ字状に折曲げ加工し、そのＵ字状部２００ｂにピン３ｂをかしめたり、接着、溶着等して取付けて、そのピン３ｂにカバー１ｂを回転可能に取付たものである。
その他の構成は、第１実施形態と同一であって、同一の作用効果を奏する。
【００１８】
前記折曲部２０ｂの取付位置として、その折曲部２０ｂを前記室内側端部１０Ａの切欠凹部１００Ａに埋込むようにしても良い。この場合、折曲部２０ｂにも前記切欠凹部１００Ａに対応する切欠２１ｂを形成する。
より具体的には、図６のように防犯レンズＡの内筒１を室外側から取付孔３０に挿入し、その雄ネジ部１１に対し、室内側から外筒２を螺着させる場合に、前記室内側端部１０Ａの切欠凹部１００Ａを略垂直方向に位置させて、防犯レンズＡを固定する。
そして、前記折曲部２０ｂの切欠２１ｂを前記室内側端部１０Ａの切欠凹部１００Ａに埋込むようにして取り付ける。
前記切欠凹部１００Ａは、本来、室内側から前記外筒２を前記内筒１に螺着させる場合に、ドライバーなどの冶具に使用される部位であるが、前記カバー装置２Ａの取付けに活用することで、前記カバー装置２Ａの取付けが容易になる。
【００１９】
次に、第３実施形態に係るカバー装置１Ｃの構成例を説明する。
このカバー装置１Ｃは、図６に示したカバー装置１Ｂと同様に、その取付枠２ｃの圧着片を弾性材から構成すると共に、その弾性材の折曲部２０ｃを上向きに形成している。
前記弾性材は外側方向Xに復元力が作用し、内側方向−Xにたわむもので、前記室内側端部１０Ａの内周１００ａを圧着できるようになっている。
前記折曲部２０ｃは前記折曲部２０ｂと同様に、弾性材を略Ｕ字状に折曲げ加工し、そのＵ字状部２００ｃにピンをかしめる等して固定し、そのピンにカバー１ｃを回転可能に取付たものである。
この第３実施形態に係るカバー装置１Ｃにおいても、第１、第２実施形態のカバー装置と同一の作用効果を奏する。
図６と同様に、前記折曲部２０ｃの取付位置として、その切欠２１ｃを前記室内側端部１０Ａの切欠凹部１００Ａに埋込むように取付けても良い。
【００２０】
次に、第４実施形態に係るカバー装置１Ｄの構成例を説明する。
このカバー装置１Ｄの特徴は、図８に示したように取付枠２ｄの圧着片２０ｄとして、弾性材としてのゴム、プラスチック等の合成樹脂をリング状に成形し、カバー１ｄを回転可能に支持するネジ３ｄ自体を支持部としたものである。
このカバー装置１Ｄを前記室内側端部１０Ａに取付けるには、ネジ３ｄで圧着片２０ｄにカバー１ｄを螺着し、前記室内側端部１０Ａの径にあわせて、圧着片２０ｄを押し広げるように取付ければよい。圧着片２ｄを前記室内側端部１０Ａに取付ける際に接着剤を用いても良い。
また、カバー１ｄの舌部１０ｄにストラップ等の飾り紐を取付ける孔１１ｄを設けることで、飾り紐を把持することによるカバー１ｄの回転操作性の向上等を図ることができる。
その他の構成は、第１〜第３実施形態のカバー装置と同様であり、同一の作用効果を奏する。
【００２１】
次に、第５実施形態に係るカバー装置１Ｅの構成例を説明する。
このカバー装置１Ｅは、図９に示したようにその中心部を開口させた円盤状の取付枠２ｅと、該取付枠２ｅの開口２１ｅの縁から立ち上げられて円筒状に形成され、且つ、前記室内側端部１０Ａの内周１００aに取付可能な圧着片２０ｅと、カバー１ｅを回転可能に支持する支持部としてのリベット、ネジ３ｅを備えている。
前記取付枠２ｅの直径は、前記室内側端部１０Aの覗き窓１１Aを覆うカバー１ｅの直径よりも、若干大きめに形成されている。
前記円筒状の圧着片２０ｅの外径は、前記室内側端部１０Ａの内周１００aに密着して、その内周１００aを圧着できるサイズに形成されている。
これらの取付枠２ｅと圧着片２０ｅは、プラスチック等の合成樹脂により一体成形されているが、その材料は合成樹脂に限定されるものではない。
【００２２】
このカバー装置１Ｅを前記室内側端部１０Ａに取付けるには、前記円筒状の圧着片２０ｅを前記室内側端部１０Ａの内周１００aに向けて押込むか、螺着してもよい。
その他の構成は、第１〜第４実施形態のカバー装置と同様であり、同一の作用効果を奏する。
【００２３】
図１０には、図９に示した取付枠２ｅと圧着片２０ｅの変形例が示されており、その変形個所は、取付枠２ｅの同心円状に、室内側に凹んだ溝２２ｅを形成したところである。
この同心円状の溝２２ｅが前記室内側端部１０Ａに当接されることで、前記圧着片２０ｅに外側方向に力が作用し、前記圧着片２０ｅがより強く内周１００aを圧着するようになる。よって、カバー装置１Ｅが前記室内側端部１０Ａから抜け難くなっている。
【００２４】
上記カバー装置１Ａ〜１Ｅでは、ウォームホイールの圧着片２０ａ、ウォームギアの調整部２１ａ、取付枠として弾性材等を採用したが、前記室内側端部１０Ａに対する圧着力を調整できるものであればどのようなものでもよい。
たとえば、合成樹脂のバンド状のものを取付枠としてもよい。
また、防犯レンズの内筒や外筒の材質は、どのようなものでもよく、アルミニウム等の金属の他、プラスチック等の合成樹脂でもよい。
さらに上記カバー装置１Ｅにおいて、取付枠２ｅと圧着片２０ｅを黒色に着色することで、光の反射を抑えることができ、覗き見易い防犯レンズＡにすることができる。
【図面の簡単な説明】
【００２５】
【図１】第１実施形態に係るカバー装置の分解斜視図及びこのカバー装置を取付ける防犯レンズの分解斜視図、
【図２】カバー装置を防犯レンズに取付けた状態の取付側面図、
【図３】防犯レンズの断面図、
【図４】第１実施形態に係るカバー装置の分解斜視図及びこのカバー装置を取付ける別例の防犯レンズの斜視図、
【図５】同取付側面図、
【図６】第２実施形態に係るカバー装置の分解斜視図及び取付説明図、
【図７】第３実施形態に係るカバー装置の分解斜視図及び取付説明図、
【図８】第４実施形態に係るカバー装置の分解斜視図及び取付説明図、
【図９】第５実施形態に係るカバー装置の分解斜視図及び取付説明図、
【図１０】（Ａ）及び（Ｂ）  同カバー装置の変形例図及び同図の矢視断面図である。
【符号の説明】
【００２６】
１  内筒
１Ａ  １Ｂ  １Ｃ  １Ｄ  １Ｅ  カバー装置
１ａ  １ｂ  １ｃ  １ｄ  １ｅ  カバー
２a  ２ｂ  ２ｃ  ２ｄ  ２ｅ  取付枠
２０ａ  ２０ｄ  ２０ｅ  圧着片
２０ｂ  ２０ｃ  折曲部
２１ｅ  開口
２２ｅ  溝
２００ｂ  ２００ｃ  Ｕ字状部
２a  ３ｂ  ３ｃ  ３ｄ  ３ｅ  ピン
１０ａ  １０ｄ  １０ｅ  舌部
１０  室外側フランジ部
１０Ａ  室内側端部
１１  雄ネジ部
１２  レンズ系
１４  ストッパ片
１５  スリーブ
１００a  内周
２  外筒
２０  室内側フランジ部
２１  雌ネジ部
３  室外側ドア板                      ３０取付孔
４  室内側ドア板                      ４０  取付孔
３Ａ  ドア板
【図１】
2006016950.tif 000003
【図２】
2006016950.tif 000004
【図３】
2006016950.tif 000005
【図４】
2006016950.tif 000006
【図５】
2006016950.tif 000007
【図６】
2006016950.tif 000008
【図７】
2006016950.tif 000009
【図８】
2006016950.tif 000010
【図９】
2006016950.tif 000011
【図１０】
2006016950.tif 000012